(57)【要約】【課題】  携帯に便利で練習効果を向上できる野球またはソフトボールのバッティングマシンを提供する。【解決手段】  Ｌ形状のベース１０は、垂直方向のパイプ１１と水平方向のパイプ１２にそれぞれ伸縮ボール受けリング１３及び踏み板１５がある伸縮脚１４が設けられている。踏み板１５と水平方向のパイプ１２の固定ベース１６の弾力ユニット１７との間に連動レバー１８が直列している。脚２０は、垂直方向のパイプ１１の外側に設けられている。サーブユニットは、垂直方向のパイプ１１の内側に設けられている套管の中に昇降コラムが設けられ、昇降コラムの中の適切な距離に弾力ユニットが設けられている。弾力ユニットの一端が套管の一端と接続し、昇降コラムの上に断面スロット３６が形成され、昇降コラムの一端にタッチボード３４が設けられている。【選択図】    図２
0003114655.tif 000002
【実用新案登録請求の範囲】
【請求項１】
野球またはソフトボールのバッティングマシンであって、
Ｌ形状のベースと、サーブユニットとを備え、
Ｌ形状のベースは、中空のパイプであり、垂直方向のパイプと水平方向のパイプにそれぞれ伸縮ボール受けリング及び踏み板がある伸縮脚が設けられ、踏み板と水平方向のパイプの固定ベースの弾力ユニットとの間に連動レバーが直列して設けられ、脚はＬ形状のベースの垂直方向のパイプの外側に設けられ、
サーブユニットは、Ｌ形状のベースの垂直方向のパイプの内側に設けられている套管の中に昇降コラムが設けられ、昇降コラムの中での適切な距離に弾力ユニットが設けられ、弾力ユニットの一端が套管の一端と接続し、套管の一端に露出する昇降コラムの上に断面スロットが形成され、昇降コラムの一端にタッチボードが設けられることにより、套管の一端又は連動レバーと接触可能であることを特徴とする野球またはソフトボールのバッティングマシン。
【請求項２】
Ｌ形状のベースの垂直方向のパイプの外部にインサートパイプが設けられ、ボールを入れるパーツを嵌めて設けることが可能であり、ボールを入れるパーツの本体の上に斜めのガイドスロットが延ばして設けられ、その下の縁に固定コラムが形成され、ガイドスロットの出口の本体に別に定位リングが設けられ、この定位リングは伸縮ボール受けリングと対応して、本体の中に弾力ユニットが設けられ、その外部は１本のサポートレバーと接続して、サポートレバーとタッチボードとの間にプルレバーが設けられていることを特徴とする野球またはソフトボールのバッティングマシン。
【請求項３】
サーブユニットの昇降コラムには、軟質のボール受けコラムを嵌めて設けることが可能であることを特徴とする請求項１記載の野球またはソフトボールのバッティングマシン。
【請求項４】
別のＬ形状のベースの垂直方向のパイプの予定位置には、単方向爪歯車が設けられ、単方向爪歯車が昇降コラムと対応して予め作られている配列歯を利用して噛合う連動関係になり、単方向爪歯車の並び軸にコンロッドアームが設けられることにより、相互の連動関係になり、コンロッドアームの自由端に配重塊が吊られて設けられ、配重塊自体の重さを利用して、コンロッドアームが下へ向かって振られ、単方向爪歯車を連動して昇降コラムの配列歯と噛合うことにより、昇降コラムが連動されて降下し、人力で昇降コラムを踏んで降下させる時の面倒及び不便を低減可能であることを特徴とする請求項１記載の野球またはソフトボールのバッティングマシン。
【考案の詳細な説明】
【技術分野】
【０００１】
本考案は、野球またはソフトボールのバッティングマシンに関するものであり、主に、野球又はソフトボールの打撃練習を行う場合、サーブの練習道具として使われる。
【背景技術】
【０００２】
現在、市販の野球またはソフトボールのバッティングマシンは、１本のレバーを地面に直立させて、上端に小さいトレーを設けてあり、ボールをその上に載せてから、バットでトレーの上に置いてあるボールを打つことで、固定ポイント式で打撃の動作を練習することができるが、この構造による打撃の強さを向上する効果はあまり良くないので、改善することが必要である。
【考案の開示】
【考案が解決しようとする課題】
【０００３】
本考案の主要な目的は、野球またはソフトボールのバッティングマシンを提供するものである。
【課題を解決するための手段】
【０００４】
バッティングマシンは、Ｌ形状のベースの上に伸縮及び折り畳みができる脚及びサーブユニットが設けられている。伸縮脚及びサーブユニットの間に連動ユニットを設けるか、直接サーブユニットの上に一つの軟質のボール受けコラムを嵌めて設ける。更に、Ｌ形状のベースにボールを入れるパーツを嵌めて設けることで、前述の連動ユニットと接続させる。それによって、異なる体形又は年齢の使用者がこれを使用する場合に、より安全性をもたらし、携帯する場合に、より便利性をもたらし、集中的に訓練する場合に、最も効果をもたらす。それによって、従来の製品が携帯し難く、練習効果が良くない問題を解決することができる。
【考案を実施するための最良の形態】
【０００５】
図に合わせて、本考案のベターな実施状態を下記で詳しく説明する。
まず、図１を参照する。それは、本考案の一実施例による野球またはソフトボールのバッティングマシンを組立てる前に携帯袋の中に入れる状態を示す斜視図である。この図によって、本実施例はそれぞれの部品を取外したり、組立てたりすることで、完全に携帯袋９０の中に収納できることがわかる。
【０００６】
図２、図３及び図４を参照する。それは、本考案の一実施例による野球またはソフトボールのバッティングマシンの組立を完了した後の状態を示す模式図であり、Ｌ形状ベースの垂直方向パイプの外部に一つのボールを入れるパーツを嵌めて設ける模式図である。図によると、その中に一つのＬ形状のベース１０を含み、それは中空のパイプであり、垂直方向のパイプ１１と水平方向のパイプ１２にそれぞれ一つの伸縮ボール受けリング１３及び一つの踏み板１５がある伸縮脚１４が設けられ、踏み板１５と水平方向のパイプ１２の固定ベース１６の弾力ユニット１７との間は連動レバー１８で直列する。又、脚２０をＬ形状のベース１０の垂直方向のパイプ１１の外側に設けてある。又、一つのサーブユニット３０があり、それはＬ形状のベース１０の垂直方向のパイプ１１の内側に設けてある套管３１の中に一つの昇降コラム３２が設けられ、昇降コラム３２の中での適切な距離に一つの弾力ユニット３３が設けられ、弾力ユニット３３の一端を套管３１の一端と接続させてから、套管３１の一端に露出する昇降コラム３２の上に一つの断面スロット３６が形成され、昇降コラム３２の一端に一つのタッチボード３４が設けられているため、套管３１の一端又は連動レバー１８と接触することができる。
【０００７】
打者がタッチボード３４を踏むことで、昇降コラム３２が下へ沈むと同時に、連動レバー１８が外へ押されることになり、弾力ユニット１７が内部へ縮まり、踏み板１５が平坦に置かれることになり、その後、弾力ユニット１７がやや戻って、タッチボード３４を連動レバー１８の下にスライドさせ、連動レバー１８の引く力で踏み板１５がやや反るため、伸縮ボール受けリング１３と昇降コラム３２との間に高度の差があることになる。
【０００８】
Ｌ形状のベース１０の垂直方向のパイプ１１の外部に一つのインサートパイプ１９が設けられているため、ボールを入れるパーツ４０を嵌めて設けることができる。ボールを入れるパーツ４０の本体４１の上に一つの斜めのガイドスロット４２を延ばして設けてあり、その下の縁に固定コラム４３が形成され、ガイドスロット４２の出口の本体４１に別に一つの定位リング４４が設けられ、それは伸縮ボール受けリング１３と対応して、本体４１の中に弾力ユニット４５を設けてあり、外部で１本のサポートレバー４６と接続して、サポートレバー４６とタッチボード３４との間に一つのプルレバー４７が設けてある。
【０００９】
打者がタッチボード３４を踏むことで、昇降コラム３２が下へ沈むことになり、タッチボード３４の上に一つのフックリング３５が設けられ、プルレバー４７がサポートレバー４６を連動することで、ボールを入れるパーツ４０の本体４１を揚げさせるので、ガイドスロット４２の中でのボール５０が定位リング４４及び伸縮ボール受けリング１３の間に落ちると同時に、タッチボード３４が直ちに連動レバー１８の下にスライドし、連動レバー１８の引く力で踏み板１５がやや反ることになる。図４を参照する。それは、図３の組立を完了してから、ガイドスロットの中に複数のボールが置いてある側面図である。サンドイッチ形状の脚２０は、折り畳める接続プレート８０を使って、Ｌ形状のベース１０の垂直方向のパイプ１１の外側に組立てられている。
【００１０】
図５及び図６を参照する。それは、打者がタッチボード３４を踏んで、ボール５０を定位リング４４及び伸縮ボール受けリング１３の側面に入れる作動を示す側面図である。もう一つは、打者がタッチボード３４を踏むことで、タッチボート３４を連動レバー１８の下にスライドさせ、連動レバー１８の引く力で踏み板１５がやや反ることになる作動を示す側面図である。Ｌ形状のベース１０の水平方向のパイプ１２の連動レバー１８は、斜面である。それによって、タッチボード３４を連動レバー１８の下にスライドすることができる。
【００１１】
図７を参照する。それは、本実施例の連動レバーの一端の斜面及びタッチボードの作動を示す側面図である。打者がタッチボード３４を踏むことで、昇降コラム３２が下へ沈むと同時に、連動レバー１８が外へ押されることになり、弾力ユニット１７が内部へ縮まり、踏み板１５が平坦に置かれることになる（図６を参照）。その後、弾力ユニット１７がやや戻って、タッチボード３４を連動レバー１８の下にスライドさせる。
【００１２】
図８を参照する。それは、打者が踏み板１５を踏むことで、タッチボート３４を連動レバー１８の下から外へスライドさせ、昇降コラム３２が戻って来て、ボール５０がぶつかって上に揚がる連動レバー１８の引く力で踏み板がやや反る作動を示す側面図である。
【００１３】
図９を参照する。それは、本実施例の伸縮脚と連動レバーがパイプの上で調整、校正及び固定を行えるため、異なる年齢又は体形の使用者に適用する状態を示す側面図である。Ｌ形状のベース１０の水平方向のパイプ１２の連動レバー１８は、ねじを使って多段式で接続することで構成されている。Ｌ形状のベース１０の垂直方向のパイプ１１と水平方向のパイプ１２の上にタブ７０を設けることで、伸縮ボール受けリング１３及び伸縮脚１４の調整、校正及び固定を行うことができる。
【００１４】
図１０を参照する。より幼い子供がバッティングマシンを使用する場合、サーブユニット３０の昇降コラム３２の上に別に一つの軟質のボール受けコラム６０を嵌めて設けることができ、ボール受けコラム６０の上端にボール５０を置くことで、固定ポイント式の打撃練習を提供できる。それによって、より幼い子供が気楽にバッティングマシンを使用することができる。
【００１５】
最後に、図１１及び図１２を参照する。本考案の他の実施例による野球またはソフトボールのバッティングマシンは、別のＬ形状のベース１０の垂直方向のパイプ１１の予定位置に一つの単方向爪歯車１１１が設けられ、単方向爪歯車１１１は昇降コラム３２と対応して予め作られている配列歯３２１を利用して噛合う連動関係になる。単方向爪歯車１１１の並び軸に一つのコンロッドアーム３７を設けることで、相互の連動関係になる。コンロッドアーム３７の自由端に一つの配重塊３８が吊られて設けられている。配重塊３８自体の重さを利用して、コンロッドアーム３７が下へ向かって振られることで、単方向爪歯車１１１を連動して昇降コラム３２の配列歯３２１と噛合わせ、昇降コラム３２が連動されて、タッチボード３４が連動レバー１８に止められて位置を制限するまで降下する。又、踏み板１５が連動レバー１８を連動して、タッチボード３４の位置止めを解放した後、弾力ユニット３３を利用して、昇降コラム３２を上に上げてから、定位リング４４に落ちて来たボール５０を上に打ち出すので、人力で昇降コラム３２を踏んで降下させる時の面倒及び不便を免除できるものである。
【００１６】
本考案の野球またはソフトボールのバッティングマシンの長所は、下記の通りである。
一、使用者（打者）の身長又は年齢に合わせて伸縮ボール受けリング及び伸縮脚を適切に引いたり、延ばしたり、微調整したりすることができる。
【００１７】
二、使用者（打者）が適切な打つ姿勢で打撃地域に立つだけで良いのである。タッチボードを踏むと同時に、ボールは自動的に定位リングに落ちるため、定位リングを上げることで、連動レバーの一端を連動してタッチボールの上方に接触させる。又、踏むことによって連動レバーの一端をタッチボードから外部へスリードして移動させ、この場合、弾力が回復するため、ボールを上げることになる。
三、伸縮及び折り畳む設計を用いることで、携帯しやすく、早く組立てるため、使用範囲が広くなる。
【図面の簡単な説明】
【００１８】
【図１】本考案の一実施例による野球またはソフトボールのバッティングマシンの組立てる前に携帯袋の中に入れる状態を示す斜視図である。
【図２】本考案の一実施例による野球またはソフトボールのバッティングマシンの組立てた後の状態を示す斜視図である。
【図３】本考案の一実施例による野球またはソフトボールのバッティングマシンのＬ形状ベースの垂直方向のパイプの外部に一つのボールを入れるパーツを嵌めて設ける状態を示す斜視図である。
【図４】本考案の一実施例による野球またはソフトボールのバッティングマシンのガイドスロットの中に複数のボールが置いてある状態を示す側面図である。
【図５】本考案の一実施例による野球またはソフトボールのバッティングマシンの打者がタッチボードを踏んで、ボールを定位リング及び伸縮ボール受けリングの側面に入れる作動状態を示す側面図である。
【図６】本考案の一実施例による野球またはソフトボールのバッティングマシンの打者がタッチボードを踏むことで、タッチボートを連動レバーの下にスライドさせ、連動レバーの引く力で踏み板がやや反る状態を示す側面図である。
【図７】本考案の一実施例による野球またはソフトボールのバッティングマシンの連動レバーの一端の斜面及びタッチボードの作動状態を示す側面図である。
【図８】本考案の一実施例による野球またはソフトボールのバッティングマシンの打者が踏み板を踏むことで、タッチボートを連動レバーの下から外へスライドさせ、昇降コラムが戻って来て、ボールがぶつかって上に揚がる連動レバーの引く力で踏み板がやや反る状態を示す側面図である。
【図９】本考案の一実施例による野球またはソフトボールのバッティングマシンの伸縮脚及び連動レバーをパイプの上で調整、校正及び固定して異なる年齢又は体形の使用者に適用する状態を示す側面図である。
【図１０】本考案の一実施例による野球またはソフトボールのバッティングマシンのサーブユニットの昇降コラムの上に一つの軟質のボール受けコラムを嵌めて設け、固定ポイント式の打撃練習を提供する状態を示す模式図である。
【図１１】本考案の他の実施例による野球またはソフトボールのバッティングマシンを示す斜視図である。
【図１２】本考案の他の実施例による野球またはソフトボールのバッティングマシンを示す側面図である。
【符号の説明】
【００１９】
１０  Ｌ形状のベース、１１  垂直方向のパイプ、１２  水平方向のパイプ、１３  伸縮ボール受けリング、１４  伸縮脚、１５  踏み板、１６  固定ベース、１７  弾力ユニット、１８  連動レバー、１９  インサートパイプ、２０  脚、３０  サーブユニット、３１  套管、３２  昇降コラム、３３  弾力ユニット、３４  タッチボード、３５  フックリング、３６  断面スロット、４０  ボールを入れるパーツ、４１  本体、４２  ガイドスロット、４３  固定コラム、４４  定位リング、４５  弾力ユニット、４６  サポートレバー、４７  プルレバー、５０  ボール、６０  軟質ボール受けコラム、７０  タブ、８０  折り畳める接続プレート、９０  携帯袋
【図１】
0003114655.tif 000003
【図２】
0003114655.tif 000004
【図３】
0003114655.tif 000005
【図４】
0003114655.tif 000006
【図５】
0003114655.tif 000007
【図６】
0003114655.tif 000008
【図７】
0003114655.tif 000009
【図８】
0003114655.tif 000010
【図９】
0003114655.tif 000011
【図１０】
0003114655.tif 000012
【図１１】
0003114655.tif 000013
【図１２】
0003114655.tif 000014